(57)【要約】      （修正有）【課題】台形補正時に、画像が折り返すことにより画像が乱れたり、また、適正な補正の確認が容易となる、投影型表示装置、液晶プロジェクタ装置、および画像処理システムを提供する。【解決手段】台形歪み補正量を適切に設定するための台形歪み補正モードと、前記台形補正モードに移行するための台形歪み補正モード移行手段と、前記台形歪み補正モードでは台形歪み補正時投影画像生成手段（＃１０３）によって生成される画像を前記画像投影手段によって投影することによって、前記台形補正手段が動作中に、前記ビデオ画像書き込み手段によって、折り返しノイズの発生しやすい画像や、投影画格がはっきりしない画像がスクリーンなどに投影されることがなくなることにより、良好な台形補正を実施することを可能とする。【選択図】  図１
2005110147.tif 000002
【特許請求の範囲】
【請求項１】
投影する画像の台形歪みを補正するための台形歪み補正機能と、
台形歪み補正量を適切に設定するための台形歪み補正モードと、
前記台形補正モードに移行するための台形歪み補正モード移行手段と、
少なくとも台形歪みを補正する際に投影する画像情報を生成する台形歪み補正時投影画像生成手段と、
少なくとも前記台形歪み補正時投影画像生成手段から生成される画像を投影する画像投影手段とを有し、
前記台形歪み補正モードでは前記台形歪み補正時投影画像生成手段によって生成される画像を前記画像投影手段によって投影することを特徴とした画像投影装置。
【請求項２】
前記台形歪み補正モード移行手段は、画像投影装置に配置されたスイッチ、または、遠隔操作手段による信号であることを特徴とした請求項１記載の画像投影装置。
【請求項３】
前記台形歪み補正モード移行手段は、画像投影装置の傾き度を検出する傾斜検出手段であることを特徴とした請求項１記載の画像投影装置。
【発明の詳細な説明】
【技術分野】
【０００１】
本発明は、台形補正（キーストーン補正）を有するプロジェクタに関するものである。
【背景技術】
【０００２】
従来の表示画像の台形歪みを補正して表示する投写型表示装置としては、例えば特許文献１に記載の歪み補正回路がある。この歪み補正回路では補正量指示手段から指示することにより、その補正量に対応する画素を間引いて圧縮しラインメモリに書き込むか、ラインメモリから間引いて読み出すことでスクリーン上に表示する台形歪みを補正している。また、特許文献１では手動で行っていた台形補正処理を自動的に処理する手法として、特許文献２により自動的に台形歪みを補正する手段が提案されている。
【０００３】
図１４は、従来における画像投影装置に於ける電気ブロック図を示した図である。
【０００４】
＃１４００は、アナログコンポジットビデオ信号をデジタルＹＵＶビデオ信号に変換するビデオデコーダであり、通常は同期信号なども生成するが、本パテントの説明上必要性が少ないため非図示としている。
【０００５】
＃１４０１は、＃１４００ビデオデコーダ装置から入力されるＹＵＶビデオ信号を後述する＃１４０２へ書き込むスキャンコンバータ装置で、＃１４０３に示すキーストーン補正回路へのＲＧＢデジタル信号出力時には＃１４０２ＶＲＡＭから画像データを読み出し、解像度変換の処理を施す動作もしている。
【０００６】
＃１４０２は、＃１４０１スキャンコンバータ装置が投影する画像の読み書きを行うためのビデオＲＡＭで、＃１４００ビデオデコーダ装置によって取り込まれたアナログビデオ信号を＃１４０１のスキャンコンバータ装置がＶＲＡＭへの書き込みを行ったり、＃１４０１スキャンコンバータ装置によってＶＲＡＭから画像情報を読み出し、＃１４０３のキーストーン補正回路へ解像度を変換して出力するための媒介メモリとして機能する。
【０００７】
＃１４０３は、＃１４０１のスキャンコンバータ装置から出力されてくるデジタルＲＧＢ画像信号に特定のフィルタリングを施すことにより台形歪みの逆補正を行うキーストーン補正回路である。
【０００８】
＃１４０４は、オンスクリーンディスプレイと呼ばれている画像を重ね合わせる回路であり、図１３の中央部に表示されている文字情報などの重ね合わせ処理を行っている。
【０００９】
＃１４０５は、透過型液晶や反射型液晶などの光変調デバイスとランプなどの光源、および前記光変調手段によって形成された画像情報をスクリーンに投影するためのレンズ光学系から成る表示器である。
【００１０】
＃１４０６は、マイクロコンピュータが一時的な情報を蓄えるためのＲＡＭデバイスである。
【００１１】
＃１４０７は、マイクロコンピュータが動作するための静的なプログラムや固定パラメータなどが記録されているＲＯＭデバイスである。
【００１２】
＃１４０８は、＃１４０７のＲＯＭデバイスに記録されているプログラムに基づいて動作するマイクロコンピュータデバイスであり、後述する指示入力手段による操作に基づいてキーストーン補正状態の更新などを行っている。
【００１３】
＃１４０９は、キーストーンモード切替指示をマイクロコンピュータに伝達するためのキーストーンモード切替スイッチである。
【００１４】
＃１４１０は、キーストーンモードにおいてキーストーン補正量を＋補正するためのキーストーン＋補正スイッチである。
【００１５】
＃１４１１は、キーストーンモードにおいてキーストーン補正量をー補正するためのキーストーンー補正スイッチである。
【００１６】
＃１４１２は、キーストーンモードにおいて変更されたキーストーン補正量を設定するためのキーストーン補正量設定スイッチである。
【００１７】
＃１４１３は、キーストーンモードにおいて変更されたキーストーン補正量をキャンセルするためのキーストーン補正量キャンセルスイッチである。
【００１８】
＃１４１４は、赤外遠隔操作手段に於ける赤外指示信号を受信するための赤外リモコン信号受信センサーであり、上記スイッチと同等の信号を赤外遠隔操作手段から発生させ、それを受信することが可能となる。
【００１９】
以上の構成により、従来よりキーストーン補正量を変更させることにより、台形歪みを補正することが可能であった。
【００２０】
また、その際のＶＲＡＭ表示例が図１１であり、このような画像が図１２の様に台形に歪んで投影されている状態を、逆台形補正することにより図１３の様に適正な表示にすることが可能となっている。
【００２１】
補正量決定の際の従来例は、図５であり、詳細に説明する。
【００２２】
＃５００は、キーストーンモードにおける最初のステップであり、
＃５０１において、キーストーンモードに入る際に設定されているキーストーン補正量（ＫｅｙＳｔｏｎｅＶａｌｕｅ）を保存している。それは、キーストーンモードから抜ける際、キーストーンモードによってかけられた台形歪み補正量を無効にしたいとユーザーが考えたときに、キーストーン補正量を元に戻すために使われる。
【００２３】
＃５０２は、＃１４０５のＯＳＤ回路の表示を許可するためのステップである。
【００２４】
＃５０３は、キーストーンモードに一定時間有り続けるためのカウンター最大値を設定している箇所であり、この例ではキーストーン補正量がキャンセルや決定されない限り最低でも４秒間該モードで有り続けることを可能としている。
【００２５】
＃５０４は、現在のキーストーン値をＯＳＤに書き込んでいるところであり、このことにより、ユーザーにキーストーン補正中であることと、現在のキーストーン補正量をユーザに知らしめる役割を果たしている。
【００２６】
＃５０５は、キーストーンモードで有り続けることを判断するためのカウンターをクリアしている箇所であり、キャンセルや決定を除くキーストーン補正量に関わりのある操作がされた場合にこの処理を行っている。このことにより、後述するがキーストーンモードに遷移した状態を一定時間保持することが可能となる。
【００２７】
＃５０６は、１００ｍｓの間キー操作を検出し続け、その情報を保持している。
【００２８】
＃５０７は、キーストーンプラス補正が投影装置上部に設置された釦や赤外リモコン装置によって指示されたかどうかを判断している箇所であり、本ステップによってキーストーンプラス補正が指示されたと判断された場合、シーケンスを＃５１６へ移し、さもなくばシーケンスを＃５０８へ移している。
【００２９】
＃５０８では、キーストーンマイナス補正が投影装置上部に設置された釦や赤外リモコン装置によって指示されたかどうかを判断している箇所であり、本ステップによってキーストーンマイナス補正が指示されたと判断された場合、シーケンスを＃５１５へ移し、さもなくばシーケンスを＃５０９へ移している。
【００３０】
＃５０９では、キーストーン補正キャンセルが投影装置上部に設置された釦や赤外リモコン装置によって指示されたかどうかを判断している箇所であり、本ステップによってキーストーン補正キャンセルが指示されたと判断された場合、シーケンスを＃５１８へ移し、さもなくばシーケンスを＃５１０へ移している。
【００３１】
＃５１０では、キーストーン補正決定が投影装置上部に設置された釦や赤外リモコン装置によって指示されたかどうかを判断している箇所であり、本ステップによってキーストーン補正決定が指示されたと判断された場合、シーケンスを＃５１３へ移し、さもなくばシーケンスを＃５１１へ移している。
【００３２】
＃５１１では、上記フローの結果、キーストーン補正に関わりのある指示が行われなかったのでキーストーンモードで有り続けるかどうかを判断するためのカウンターをインクリメントし、
＃５１２において、上記＃５１１によって加算されたカウンターが＃５０３で指定したカウンター最大値を超えたかどうかを判断し、もし、カウンターの最大値を超えていた場合フローを＃５１３へ移し、さもなくばフローを５０６へ移すことにより上記フローを繰り替えすこととなる。
【００３３】
＃５１３は、キーストーン補正モードを抜けるための準備をしているステップであり、ＯＳＤの表示を非表示にしていることにより、ユーザーはキーストーン補正モードから抜けたと判断することとなる。
【００３４】
＃５１４では、キーストーン補正モードから抜ける処理をしている箇所である。
【００３５】
＃５１５は、キーストーンマイナス補正の実体ステップであり、キーストーン補正量を減算している。
【００３６】
＃５１６は、キーストーンプラス補正の実体ステップであり、キーストーン補正量を加算している。
【００３７】
＃５１７は、上記＃５１５、＃５１６によって変更されたキーストーン補正量を実際のデバイス＃１４０３に対応したレジスタに変換し、設定している箇所である。
【００３８】
＃５１８は、キーストーン補正モードに於ける変更をキャンセルされた場合の実体ステップであり、ステップ＃５０１で保存した情報を改めてキーストーン補正量として上書きすることによって、
＃５１９によってキーストーン補正回路＃１４０３へ上記キーストーン補正量に対応するレジスタ値の書き込みを行っている。
【００３９】
上記フローによって、従来よりキーストーン補正をおこなう投影型画像装置はよく知られている。
【特許文献１】特開平５−３７８８０号公報
【特許文献２】特開平９−２７０９７９号公報
【発明の開示】
【発明が解決しようとする課題】
【００４０】
しかしながら従来の台形歪み補正手段では、入力されているビデオ画像を見ながら台形補正処理を実行していたが、投影している画像によっては、画面全体が暗い場合など、台形補正を行うにあたっての画角が明瞭でなかったり、また、画像によっては台形補正処理によって画像の折り返しノイズが波打つように発生してしまい、良好な画面による台形補正の処理や確認を行うのが困難であった。
【００４１】
図１１は、折り返しノイズがでることを確認するための画像で、このような画像に台形補正を行った場合、図１２に示した用に波紋状に画像が折り返してしまい、このような画像に台形歪みを補正して投影すると、図１３に示した様に折り返した画像を投影してしまう。このように画像が折り返してしまうことは、デジタル的な台形補正手段においては不可避であるが、台形補正の調整中には特にこの折り返しが連続的に波紋が広がる如くに表示されてしまい、非常に見た目が悪くなってしまうという現象が発生している。
【課題を解決するための手段】
【００４２】
そこで、本発明では上記問題を鑑み、キーストーン補正を行う際、折り返しノイズの発生しにくく、また、キーストーンの係具合が明確にわかる特定パターンの表示を行うことによって、良好なキーストーン補正手段を提供する。
【発明の効果】
【００４３】
以上のように本発明によれば、従来では不明瞭な画像であるためにキーストーン補正量が決定できなかったり、高調波の乗った画像表示中にキーストーン補正を行うことにより画像の折り返しなどが発生するために使用者に不快な思いをさせていたが、請求項２によってユーザが手動によってキーストーン補正量を適正に変更しようとした場合において、キーストーン補正をするにあたって直交性の視認性が著しく向上し、また、画像に折り返しノイズが乗らないキーストーン補正が可能な画像投影装置を実現している。
【００４４】
また、請求項３によれば、自動でキーストーン補正を行うデバイスにおいても明確にキーストーン補正の効果をユーザに知らしめることが可能となる画像投影装置の実現を可能としている。
【発明を実施するための最良の形態】
【００４５】
（実施例１）
本実施例は、手動によってキーストーン補正量を決定する場合を想定した請求項２を実装した場合の一例である。以下、図に従って詳細に説明する。
【００４６】
図１は、本実施例に於ける回路ブロック図を示したものである。
【００４７】
＃１００は、アナログコンポジットビデオ信号をデジタルＹＵＶに変換するビデオデコーダである。
【００４８】
＃１０１は、＃１００が出力したデジタルＹＵＶ画像信号をデジタルＲＧＢ画像信号に変換するとともに、後述する＃１０２のＶＲＡＭへ保存し、後述する＃１０３のキーストーン補正回路へ出力するタイミングに合わせて＃１０２のＶＲＡＭから読み出す動作をする。その際、後述する＃１０４の表示器の解像度に合わせて解像度変換や、色味変換を行う。また、＃１０１スキャンコンバータは、後述する＃１０７のマイクロコンピュータからＶＲＡＭへ情報を書き込む際のインターフェイスの役割をする。さらに、スキャンコンバータには、前記＃１００のビデオデコーダからの入力画像信号に対し、＃１０２のＶＲＡＭに展開しないモードも有し、本実施例ではＶＲＡＭへのビデオ信号の上書きを禁止するモードに設定するとともに、後述の＃１０７のマイクロコンピュータによりＶＲＡＭへ特定画像パターンを書き込むことにより、請求項２を実現している。
【００４９】
＃１０２は、＃１０１のスキャンコンバータによって管理されているビデオＲＡＭであり、＃１００からのＹＵＶビデオ信号を＃１０１によってＲＧＢビデオ信号として記録されたり、マイクロコンピュータからの指示により＃１０１のスキャンコンバータの仲介のもとＲＧＢビデオ信号の書き込まれたりする。また、＃１０１のスキャンコンバータがキーストーン補正回路にデジタルＲＧＢ信号を出力する際、ＶＲＡＭより画像情報を読みとり、出力を行う。
【００５０】
＃１０３は、＃１０１のスキャンコンバータより出力されたＲＧＢ信号をもとに、台形歪みを補正するためのキーストーン補正処理を施す回路である。
【００５１】
＃１０４は、透過型液晶パネルや反射型液晶パネルなどの表示器であり、非図示の光源からの光に変調を施した後、非図示の光学系により非図示のスクリーンに投影する。
【００５２】
＃１０５は、後述の＃１０７のマイクロコンピュータ装置が動作するために必要なランダムアクセスメモリ装置であり、後述の＃１０６ＲＯＭに格納しているキーストーン時に投影する画像を一時的に展開したり、プログラム実行時に必要となるスタックメモリなどに利用される。
【００５３】
＃１０６は、後述の＃１０７のマイクロコンピュータ装置が動作するために必要なプログラムや、キーストーン補正時に表示する画像情報などの固定データを格納しているＲＯＭ装置である。
【００５４】
＃１０７は、画像投影装置の制御を行う制御装置であり、詳細は後述のフローチャート説明時に行う。
【００５５】
＃１０８は、キーストーンモードへ遷移することを指示するキーストーンモード切替スイッチである。
【００５６】
＃１０９は、キーストーンモード時に、キーストーン補正量を増加させるためのキーストーン＋補正スイッチである。
【００５７】
＃１１０は、キーストーンモード時に、キーストーン補正量を減少させるためのキーストーン−補正スイッチである。
【００５８】
＃１１１は、キーストーンモード時に、上記＃１０８、＃１０９によって変更されたキーストーン補正量を、適用するためのキーストーン補正設定スイッチである。
【００５９】
＃１１２は、キーストーンモード時に、上記＃１０８、＃１０９によって変更されたキーストーン補正量を、キャンセルするためのキーストーン補正キャンセル設定スイッチである。
【００６０】
＃１１３は、赤外遠隔操作装置からの信号を受信するための赤外リモコン信号受信センサであり、このセンサーからの信号を上記＃１０７のマイクロコンピュータが解読することにより、種々の動作を指示することができる。詳細は、図３の遠隔操作装置の説明時に行う。
【００６１】
以上が、本実施例に於ける回路ブロック図であり、上記構成により本請求項による動作が可能となる。
【００６２】
図２は、本実施例における画像投影装置の外形を示した図である。
【００６３】
＃２００は、上記電気ブロック図で示した表示器によって変調された画像をスクリーンに投影するためのレンズ光学系である。
【００６４】
＃２０１は、画像投影装置の動作状況を示すＬＥＤ装置で有り、動作中には青色表示を行い、エラー発生時には赤色の表示を行うなどの挙動を示すべく、上記＃１０７マイクロコンピュータによって制御されるが、本パテントと関連がないため、電気ブロック図などでは省略している。
【００６５】
＃２０２は、プロジェクションを開始するための指示をマイコンに送るためのスイッチである。この指示を前記＃１０７マイクロコンピュータ装置が受信することにより、前記図１に記載のデバイスの初期化動作や非図示のランプ装置の駆動などを行うが、本パテントと関連がないため、詳細は省略する。
【００６６】
＃２０３は、種々の設定の決定の指示を前記＃１０７のマイクロコンピュータに指示するためのスイッチ装置であり、本パテントにおいては、キーストーンモードに於けるキーストーン補正設定スイッチとして機能する。
【００６７】
＃２０４は、種々の設定を行うモードにおいて変更中の値に対して、その変更を無効にし、モードに入る前の状態にするための指示手段である。本パテントでは、キーストーン補正モードにおいて、後述の＃２０６、＃２０７などの補正量変化手段によって変更されたキーストーン値を、キーストーン補正モードに入る前の状態にするためのキーストーン補正キャンセルスイッチとして機能する。
【００６８】
＃２０５は、種々のモードに遷移を指示するためのモード遷移指示手段である。本パテントの説明上簡単にするため、＃２０５を押下された場合キーストーン補正モードとなるキーストーンモード切替スイッチとしてのみ機能することとする。
【００６９】
＃２０６は、種々のモードに於いて対応する補正量をマイナスに機能させるための手段であるが、本パテント説明上簡単にするため、キーストーンー補正スイッチとしてのみ機能することとして説明する。
【００７０】
＃２０７は、種々のモードに於いて対応する補正量をプラスに機能させるための手段であるが、本パテント説明上簡単にするため、キーストーン＋補正スイッチとしてのみ機能することとして説明する。
【００７１】
＃２０８は、図３に示す赤外遠隔操作装置によって指示された信号を、＃１０７のマイクロコンピュータが受信するための赤外リモコン受信センサである。受信する情報については、図３説明時に詳細に示す。
【００７２】
以上が、本実施例に於ける画像投影装置の外形であるが、従来技術と特に差異はない。
【００７３】
図３は、本実施例に於ける赤外遠隔操作手段の外形を示した図である。
【００７４】
＃３００は、＃２０８の赤外受光手段へ赤外信号の投光を行うための赤外信号投光手段である。
【００７５】
＃３０１は、＃２０２の動作に対応する赤外信号を発生させるための赤外投光指示手段である。
【００７６】
＃３０２は、＃２０３の動作に対応する赤外信号を発生させるための赤外投光指示手段である。
【００７７】
＃３０３は、＃２０４の動作に対応する赤外信号を発生させるための赤外投光指示手段である。
【００７８】
＃３０４は、＃２０５の動作に対応する赤外信号を発生させるための赤外投光指示手段である。
【００７９】
＃３０５は、＃２０６の動作に対応する赤外信号を発生させるための赤外投光指示手段である。
【００８０】
＃３０６は、＃２０７の動作に対応する赤外信号を発生させるための赤外投光指示手段である。
【００８１】
以上が、本実施例に於ける赤外遠隔操作手段の外形であるが、従来技術と特に差異はない。
【００８２】
図６は、従来例図５のフローチャートと差異を明確にするための本実施例に於けるフローチャートである。
【００８３】
＃６００は、キーストーン補正モードに於ける処理の開始を示すフローであり、＃２０５や＃３０４によってキーストーン補正モードへの遷移が指示された場合、本フローを開始する。
【００８４】
＃６０１では、後述のキャンセル入力を受信したときに、後述の本フローでキーストーン補正量が変更された状態をキーストーン補正モード遷移時の状態に戻すために、一時的に現在のキーストーン補正量を保存している。
【００８５】
＃６０２では、＃１０１のスキャンコンバータによる＃１００のビデオデコーダからのＹＵＶ画像信号を＃１０２のＶＲＡＭへ展開する動作を禁止している。このことにより、後述の＃６０３や＃６０４によって書き込まれた画像情報が上書きされないことを保証できる。
【００８６】
＃６０３は、＃１０７のマイクロコンピュータにより＃１０６に保存されているキーストーン補正時画像の書き込みを行っており、一例として図８に示したメッシュ画像を＃１０２のＶＲＡＭへ展開する。
【００８７】
＃６０４では、ＯＳＤ表示の開始を示すフラグを＃１０５のＲＡＭの特定エリアに記録し、後述のキーストーン補正値が更新されたときＶＲＡＭのＯＳＤ表示エリアの情報を更新し図１０の様な情報をＶＲＡＭへ書き込む。
【００８８】
＃６０５では、キーストーンモードに遷移してからすぐに遷移前のモードへ遷移することを防ぐためのカウンタの最大値を設定している。この実施例では、少なくとも４秒間はキーストーンモードで有り続けるようにするために最大値４０を設定している。
【００８９】
＃６０６は、ＶＲＡＭの文字情報表示エリアに現在のモード情報である「キーストーン」という文字と、現在の表示画面に適用したキーストーン補正値の書き込みを行っている。本シーケンスに於ける最初の場合、図８から図１０のような表示に書き換えられる。
【００９０】
＃６０７は、キーストーン補正モードに一定時間以上遷移した状態を保持するためのカウンターで、後述するが、キー入力を検出し、キーストーン補正量が変更されるたびにこのカウンターを０に初期化する。
【００９１】
＃６０８は、１００ｍｓの間、図２、図３に示すキー入力を検出し、その情報を保存している。
【００９２】
＃６０９では、＃６０８で収集したキー押下情報から、＃２０７のキーストーンプラス補正入力、または、＃１１３の赤外信号受光部が、＃３０６の赤外信号投光指示手段によって＃３００から投光されるキーストーンプラス補正指示信号が投光されたことを識別したら、フローを＃６１６へ、さもなければフローを＃６１０へ移す。
【００９３】
＃６１０では、＃６０８で収集したキー押下情報から、＃２０６のキーストーンマイナス補正入力、または、＃１１３の赤外信号受光部が、＃３０５の赤外信号投光指示手段によって＃３００から投光されるキーストーンマイナス補正指示信号が投光されたことを識別したら、フローを＃６１５へ、さもなければフローを＃６１１へ移す。
【００９４】
＃６１１では、＃６０８で収集したキー押下情報から、＃２０４のキーストーンキャンセル入力、または、＃１１３の赤外信号受光部が、＃３０３の赤外信号投光指示手段によって＃３００から投光されるキーストーンキャンセル指示信号が投光されたことを識別したら、フローを＃６１８へ、さもなければフローを＃６１２へ移す。
【００９５】
＃６１２では、＃６０８で収集したキー押下情報から、＃２０４のキーストーン決定入力、または、＃１１３の赤外信号受光部が、＃３０２の赤外信号投光指示手段によって＃３００から投光されるキーストーン決定指示信号が投光されたことを識別したら、フローを＃６２０へ、さもなければフローを＃６１３へ移す。
【００９６】
＃６１３には、キーストーン補正値に対して何らの設定が変更されなかった場合に到達するステップであり、後述する＃６１４でキーストーンモードで有り続けるかどうかを判別するためのカウンターをインクリメントしている。
【００９７】
＃６１４では、＃６１３でカウンターをインクリメントした結果と＃６０５で設定したカウンターの最大値を比較し、前記カウンターが前記最大値を超えた場合、フローを＃６２０へ、さもなければフローを＃６０８へ移し次のキー入力をフェッチする。
【００９８】
＃６１５では、キーストーン補正値を示す「ＫｅｙＳｔｏｎｅＶａｌｕｅ」の値を減算し、フローを＃６１７へ移す。
【００９９】
＃６１６では、キーストーン補正値を示す「ＫｅｙＳｔｏｎｅＶａｌｕｅ」の値を増加し、フローを＃６１７へ移す。
【０１００】
＃６１７では、キーストーン補正値「ＫｅｙＳｔｏｎｅＶａｌｕｅ」に対応した効果を＃１０３のキーストーン補正回路で実現するために該レジスタの更新を行っている。その後フローを＃６０６へ移す。
【０１０１】
＃６１８へは、キーストーン補正モードのキャンセルが指示されたときに遷移してくるステップであり、キーストーン補正値を示す「ＫｅｙＳｔｏｎｅＶａｌｕｅ」の値をキーストーン調整モードへ遷移してきたときに値に戻している。
【０１０２】
＃６１９では、＃６１８によって戻されたキーストーン補正量に対応した＃１０３キーストーン補正回路のレジスタ値に返還後、前記キーストーン補正回路に設定している。
【０１０３】
＃６２０では、＃１０５の特定部分に保存されているＯＳＤ表示を開始を示すフラグをクリアし、＃１０７のマイコンがＶＲＡＭエリアへのキーストーン補正情報の書き込みを行わないようにしている。
【０１０４】
＃６２１では、明記していないがビデオデコーダが画像を受信していない場合には、ＶＲＡＭに書き込んだキーストーン補正時の画像を全て青色で消去している。ビデオデコーダが画像を受信している場合には、ＶＲＡＭに記録されているキーストーン補正用画像が上書きされるため、消去動作を行っていない。
【０１０５】
＃６２２では、＃１０１にビデオデコーダからの出力をＶＲＡＭへ展開する動作を許可し、
＃６２３で、キーストーン補正モードから抜けている。
【０１０６】
以上の様に、本シーケンスによってキーストーン補正中に適正な補正が行われたかどうかを視認しやすくなり、従来より著しくキーストーン調整が容易になる画像投影装置を提供することが可能となる。
【０１０７】
（実施例２）
本実施例は、自動によってキーストーン補正量を決定する場合を想定した請求項３を実装した場合の一例である。以下、図に従って詳細に説明する。
【０１０８】
図４は、本実施例における電気ブロック図を示したものである。以下詳細に説明する。
【０１０９】
＃４００は、コンポジットビデオ信号であるアナログ信号をＹＵＶデジタル画像信号に変換するビデオデコーダ装置である。
【０１１０】
＃４０１は、ビデオデコーダ装置＃４００から得られるデジタル画像信号やマイクロコンピュータから書き込まれる画像情報をデジタルＲＧＢ信号に変換後ＶＲＡＭへ展開したり、ＶＲＡＭに書き込まれている画像情報を解像度変換後ＯＳＤ回路へ出力するスキャンコンバータ装置である。
【０１１１】
＃４０２は、スキャンコンバータ＃４０１によって管理されているビデオＲＡＭである。
【０１１２】
＃４０３は、スキャンコンバータ＃４０１から出力されるデジタルＲＧＢ信号を受信し、その信号に文字情報などを重ね合わせるためのスプライト処理を施すためのＯＳＤ回路である。
【０１１３】
＃４０４は、ＯＳＤ回路＃４０３から出力されるデジタルＲＧＢ画像信号に台形歪み補正処理を施すためのキーストーン補正回路装置であり、補正量は後述のマイクロコンピュータ＃４０８によって演算されキーストーン補正回路に背邸される。
【０１１４】
＃４０５は、透過型液晶や反射型液晶などの光変調装置とランプなどの光源、そして、スクリーンに投影するためのレンズ光学系とから成る表示器である。
【０１１５】
＃４０６はマイクロコンピュータ＃４０８によって一時的な情報が書き込まれるＲＡＭデバイスである。
【０１１６】
＃４０７はマイクロコンピュータ＃４０８が動作するためのプログラムや、本パテントの特徴であるキーストーン補正モードに於けるキーストーン補正時画像が保存されているＲＯＭデバイスである。
【０１１７】
＃４０８は、投影装置全体を制御するためのマイクロコンピュータデバイスであり、後述の傾斜センサ＃４０９からの投影装置の傾きと、予め指定された補正角度からキーストーン補正量を演算し、前記キーストーン補正回路＃４０４の設定を変更しいている。
【０１１８】
＃４０９は、画像投影装置の傾きを検出するための傾斜センサーであり、後述するフローチャートにより、キーストーン補正モードへの遷移とキーストーン補正量の算出に使われている。
【０１１９】
以上が実施例２に於ける電気ブロック図の概略である。
【０１２０】
図７は、本実施例におけるフローチャートを示した図である。以下詳細に説明する。
【０１２１】
＃７００は、キーストーン補正モードにおけるフローの開始を示している。
【０１２２】
＃７０１は、傾斜センサ＃４０９から得られた画像投影装置傾斜角度と、前回キーストーン補正を行った際の傾斜角度との差を演算し、その角度が一定角度以上変化していた場合のみキーストーン補正を行うための比較を行っているステップであり、一定角度以上の変動が検出された場合、シーケンスを＃７０２へ移し、さもなくばキーストーンモードの処理をすることなく終了するためにシーケンスを＃７１０へ移している。ここでは明記していないが、傾斜センサ＃４０９から得られる傾斜情報が変動している際にはキーストーン補正演算を行わない処理を施す。
【０１２３】
＃７０２は、傾斜センサ＃４０９から得られる画像投影装置傾斜角度と角度補正量からキーストーン補正量を演算し、キーストーン補正回路＃４０４へ書き込みを行っている箇所である。この演算は、公知であり、本パテントと関連が薄いためここでは記載しない。
【０１２４】
＃７０３では、ビデオデコーダ＃４００から出力されるＹＵＶデジタル画像信号をスキャンコンバータ＃４０１がＶＲＡＭ＃４０２に展開しないようにスキャンコンバータ＃４０１のレジスタを設定しているステップである。
【０１２５】
＃７０４では、ＶＲＡＭ＃４０２へキーストーン補正モード用の画像を書き込むためにスキャンコンバータ＃４０１へキーストーン補正モード用画像の書き込みを依頼している箇所である。
【０１２６】
＃７０５は、キーストーンモードである趣旨と、キーストーン補正量をユーザーに知らしめるための情報を画像情報に重ね合わせるためのＯＳＤ装置の画像重ね合わせ処理を機能させている箇所である。
【０１２７】
＃７０６は、一定時間、ユーザにキーストーン補正の効果を視認してもらうための待ち時間である。
【０１２８】
＃７０７は、上記ＯＳＤ装置の表示を非表示にする処理を施してるステップである。
【０１２９】
＃７０８は、ビデオデコーダがコンポジットビデオ信号を受信している際には必要の内ステップで、実装上はスキップする箇所であるが、ＶＲＡＭに書き込んだキーストーンモード用表示画像をクリアしているステップである。通常は全青などで初期化するか、その全青を表示するようにスキャンコンバータに依頼する。
【０１３０】
＃７０９は、ビデオデコーダ＃４００からの出力をＶＲＡＭ＃４０２へ展開するようにスキャンコンバータ＃４０１へ設定しているステップである。
【０１３１】
＃７１０で、本シーケンスを終了している。
【０１３２】
以上のフローによって、傾斜センサーによって画像投影装置の傾きが一定以上傾いた場合自動的にキーストーン補正モードに遷移し、その際、キーストーン補正が行われていることを示す情報とともに、キーストーンの効果を視認しやすくするための固定画像を表示することが可能となる画像投影装置を実現することが可能となる。
【図面の簡単な説明】
【０１３３】
【図１】実施例１における電気ブロック図である。
【図２】本実施例および従来例における画像投影装置の外観である。
【図３】本実施例および従来例に於ける赤外遠隔操作装置の外観である。
【図４】実施例２に於ける電気ブロック図である。
【図５】従来例のキーストーン補正モードに於けるフローチャート図である。
【図６】実施例１のキーストーン補正モードにおけるフローチャート図である。
【図７】実施例２のキーストーン補正モードにおけるフローチャート図である。
【図８】実施例１および実施例２においてＶＲＡＭへ書き込む画像イメージを示した図である。
【図９】図８の画像をプロジェクションした場合の一例を示すイメージ図である。
【図１０】実施例１および実施例２においてキーストーン補正モードにおける表示例を示した図である。
【図１１】従来例においてビデオデコーダからＶＲＡＭへ書き込まれる画像イメージを示した図である。
【図１２】図１１の画像をプロジェクションした場合の一例を示すイメージ図である。
【図１３】従来例においてキーストーン補正モードにおける表示例を示した図である。
【図１４】従来例における電気ブロック図である。
【図１】
2005110147.tif 000003
【図２】
2005110147.tif 000004
【図３】
2005110147.tif 000005
【図４】
2005110147.tif 000006
【図５】
2005110147.tif 000007
【図６】
2005110147.tif 000008
【図７】
2005110147.tif 000009
【図８】
2005110147.tif 000010
【図９】
2005110147.tif 000011
【図１０】
2005110147.tif 000012
【図１１】
2005110147.tif 000013
【図１２】
2005110147.tif 000014
【図１３】
2005110147.tif 000015
【図１４】
2005110147.tif 000016